(57)【要約】【課題】天井の少なくとも一部が屋根の傾斜に沿う傾斜天井となっている収納室に、採光と通風を確保できる傾斜天井収納付き建物を提供する。【解決手段】天井の少なくとも一部が屋根の傾斜に沿う傾斜天井１１となっている収納室２を備え、収納室２に隣接してホール３が、透光性を有する仕切壁４を挟んで配置されており、ホール３上に、天窓６が設けられており、仕切壁４の上端部に通風部８が設けられているので、収納室２に、天窓６からホール３、透光性を有する仕切壁４を通して採光でき、また、天窓６からホール３、通風部８を通して通風を確保できる。したがって収納室２に充分な採光と通風を確実に確保できる。【選択図】図１
2010222918.tif 000002
【特許請求の範囲】
【請求項１】
天井の少なくとも一部が屋根の傾斜に沿う傾斜天井となっている収納室を備えた傾斜天井収納付き建物において、
前記収納室に隣接してホールが、透光性を有する仕切壁を挟んで配置されており、
前記ホール上に、天窓が設けられており、
前記仕切壁の少なくとも上端部に通風部が設けられていることを特徴とする傾斜天井収納付き建物。 
【請求項２】
請求項１に記載の傾斜天井収納付き建物において、
前記通風部は前記収納室の傾斜天井の上端部に対向して配置されていることを特徴とする傾斜天井収納付き建物。 
【請求項３】
請求項２に記載の傾斜天井収納付き建物において、
前記収納室に、衣類掛け用のフレームがその一端部を支点として、水平位置と、前記傾斜天井との間で上下に回動可能に設けられていることを特徴とする傾斜天井収納付き建物。 
【請求項４】
請求項１〜３のいずれか一項に記載の傾斜天井収納付き建物において、
前記収納室に、上下に通風可能な棚が前記通風部に近接して設けられていることを特徴とする傾斜天井収納付き建物。 
【請求項５】
請求項１〜４のいずれか一項に記載の傾斜天井収納付き建物において、
前記仕切壁が、壁本体と、この壁本体内に設けられ、該壁本体の表面側に開口する収納部とを備え、
前記収納部の奥側の面が、透光性を有しかつ前記壁本体の裏面側に露出する透光性面材で構成されていることを特徴とする傾斜天井収納付き建物。
【発明の詳細な説明】
【技術分野】
【０００１】
本発明は、天井の少なくとも一部が屋根の傾斜に沿う傾斜天井となっている収納室を備えた傾斜天井収納付き建物に関する。
【背景技術】
【０００２】
切妻屋根を有する建物の一例として特許文献１に記載のものが知られている。
この建物は、木造２階建てであり、屋根の軒先の高さが２階の床の高さとほぼ等しくなっており、２階部分の天井は屋根の傾斜に沿う傾斜天井となっている。そして、このような建物では、切妻屋根の屋根裏の空間が部屋や収納室として利用される。
【先行技術文献】
【特許文献】
【０００３】
【特許文献１】特開２００３−１４７８８４号公報
【発明の概要】
【発明が解決しようとする課題】
【０００４】
ところで、上記のような切妻屋根の屋根裏を収納室として利用する場合、収納室が屋根によって覆われているので、この収納室に充分な採光と通風を確保し難いという問題あった。
【０００５】
本発明は上記事情に鑑みてなされたもので、天井の少なくとも一部が屋根の傾斜に沿う傾斜天井となっている収納室に、採光と通風を確保できる傾斜天井収納付き建物を提供することを課題としている。
【課題を解決するための手段】
【０００６】
上記課題を解決するために、請求項１に記載の発明は、例えば図１〜図４に示すように、天井の少なくとも一部が屋根の傾斜に沿う傾斜天井１１となっている収納室２を備えた傾斜天井収納付き建物において、
前記収納室２に隣接してホール３が、透光性を有する仕切壁４を挟んで配置されており、
前記ホール３上に、天窓６が設けられており、
前記仕切壁４の少なくとも上端部に通風部８が設けられていることを特徴とする。
【０００７】
請求項１に記載の発明によれば、収納室２に、天窓６からホール３、透光性を有する仕切壁４を通して採光でき、また、天窓６からホール３、通風部８を通して通風を確保できる。したがって収納室２に充分な採光と通風を確実に確保できる。
【０００８】
請求項２に記載の発明は、請求項１に記載の傾斜天井収納付き建物において、
前記通風部８は前記収納室２の傾斜天井１１の上端部に対向して配置されていることを特徴とする。
【０００９】
請求項２に記載の発明によれば、通風部８が収納室２の傾斜天井１１の上端部に対向して配置されているので、通風部８から流入してきた風が、傾斜天井１１の上端部から傾斜方向に沿って斜め下方に流れるので、収納室２の隅まで風を行き渡らせることができる。
【００１０】
請求項３に記載の発明は、請求項２に記載の傾斜天井収納付き建物において、
前記収納室２に、衣類掛け用のフレーム１２がその一端部を支点として、水平位置と、前記傾斜天井１１との間で上下に回動可能に設けられていることを特徴とする。
【００１１】
請求項３に記載の発明によれば、衣類掛け用のフレーム１２を上方に回動して傾斜天井１１に沿わせることによって、傾斜天井１１が低くなる奥側の衣類や物品を容易に取り出すことができる。また、衣類掛け用のフレーム１２を水平に配置することによって、通風部８から流入してきた風が衣類掛け用のフレーム１２に掛けてある衣類を通って、傾斜天井１１に沿って下降するので、衣類の乾燥状態を保持することができる。
【００１２】
請求項４に記載の発明は、請求項１〜３のいずれか一項に記載の傾斜天井収納付き建物において、
前記収納室２に、上下に通風可能な棚１５が前記通風部８に近接して設けられていることを特徴とする。
【００１３】
請求項４に記載の発明によれば、上下に通風可能な棚１５が通風部８に近接して設けられているので、棚１５に載せた物品に風がよく当たり、よって、物品が湿気るのを防止できる。
【００１４】
請求項５に記載の発明は、請求項１〜４のいずれか一項に記載の傾斜天井収納付き建物において、
前記仕切壁４が、壁本体４ａと、この壁本体４ａ内に設けられ、該壁本体４ａの表面側に開口する収納部４ｂとを備え、
前記収納部４ｂの奥側の面が、透光性を有しかつ前記壁本体４ａの裏面側に露出する透光性面材４ｅで構成されていることを特徴とする。
【００１５】
請求項５に記載の発明によれば、壁本体４ａに、この壁本体４ａの表面側に開口する収納部４ｂが設けられているので、収納スペースを得ることができ、また、収納部４ｂの奥側の面が、透光性を有しかつ壁本体４ａの裏面側に露出する透光性面材４ｅで構成されているので、この透光性面材４ｅを通して収納室に採光できる。
【発明の効果】
【００１６】
本発明によれば、天井の少なくとも一部が屋根の傾斜に沿う傾斜天井となっている収納室を備えており、前記収納室に隣接してホールが、透光性を有する仕切壁を挟んで配置されており、前記ホール上に、天窓が設けられており、前記仕切壁の少なくとも上端部に通風部が設けられているので、収納室に、天窓からホール、透光性を有する仕切壁を通して採光でき、また、天窓からホール、通風部を通して通風を確保できる。したがって収納室に充分な採光と通風を確実に確保できる。
【図面の簡単な説明】
【００１７】
【図１】本発明に係る傾斜天井収納付き建物の一例を示すもので、その縦断面図である。
【図２】同、収納室の斜視図である。
【図３】同、収納室の側断面図である。
【図４】同、収納室の正断面図である。
【発明を実施するための形態】
【００１８】
以下図面を参照して本発明の実施の形態について説明する。
図１は本発明に係る傾斜天井収納付き建物の一例を示す縦断面図、図２は収納室の斜視図、図３は同側断面図、図４は同正断面図である。
この傾斜天井収納付き建物は、図１に示すように、切妻屋根を有する２階建てとなっており、屋根の軒先の高さが２階の床１の高さとほぼ等しくなっている。
傾斜天井収納付き建物の２階には、収納室２が配置されており、この収納室２に隣接してホール３が仕切壁４を挟んで配置されている。
【００１９】
ホール３は階段ホール３であり、このホール３には、１階から２階に至る階段５の上端部が接続されている。ホール３の上方には、天窓６が設けられている。この天窓６は開閉可能なものであり、外部の光をホール３や階段室５ａに取り込めるとともに、天窓６を開けることによって、外部の風をホール３や階段室５ａに取り込めるようになっている。
また、天窓６は、収納室２とは反対側の傾斜天井側に設けられており、前記仕切壁４の斜め上方に位置している。なお、天窓６は屋根に設けられており、この天窓６に対向する傾斜天井には、天窓６を露出させるための開口部が形成されている。
【００２０】
前記仕切壁４は、屋根の棟のほぼ直下に配置されており、透光性を有している。すなわちまず、図２に示すように、仕切壁４は、壁本体４ａと、この壁本体４ａ内に設けられ、壁本体４ａの表面側に開口する収納部４ｂ，４ｂとを備えている。
壁本体４ａは、２階の床１に平行に立設された３本の柱状部材４ｃ・・・によって構成されており、隣り合う柱状部材４ｃ，４ｃ間に収納部４ｂが設けられている。
収納部４ｂは、枠材を矩形枠状に組み立てて枠体を形成し、この枠体内に複数の棚板４ｄ・・・を上下に所定間隔で設け、さらに、枠体の背面側に透光性面材４ｅを設けた構成となっている。
したがって、収納部４ｂの奥側の面は、透光性を有しかつ壁本体４ａの裏面側に露出する透光性面材４ｅで構成されている。また、透光性面材４ｅは上下の棚板４ｄ，４ｄおよび左右枠材によって囲まれた空間、上枠材、その下の棚板４ｄおよび左右の枠材によって囲まれた空間、下枠材、その上の棚板４ｄおよび左右の枠材によって囲まれた空間にそれぞれ配置されており、上下の枠材、棚板４ｄ、左右の枠材にそれぞれ形成された挿入溝に４つの辺部がそれぞれ挿入されている。
【００２１】
また、前記仕切壁４の上端部には通風部８が設けられている。すなわち、仕切壁４の上端面は水平天井１０より低くなっており、これによって、仕切壁４の上端面と水平天井１０との間が通風部８となっている。
なお、通風部は、例えば、仕切壁４に設けられた複数の透光性面材４ｅのうちの一部を取り外すことによって形成してもよい。
【００２２】
前記収納室２の天井は、前記水平天井１０の一部とこの水平天井１０の端部から斜め下方に、屋根の傾斜方向に沿って傾斜する傾斜天井１１とによって構成されており、前記通風部８は傾斜天井１１の上端部に対向して配置されている。
収納室２には、図２〜図４に示すように、衣類掛け用のフレーム１２がその一端部を支点として、水平位置と、傾斜天井１１との間で上下に回動可能に設けられている。
すなわち、衣類掛け用のフレーム１２は、互いに平行離間して配置された回動アーム１２ａ，１２ａと、この回動アーム１２ａ，１２ａ間に架設された３本の横棒１２ｂ・・・とを備えており、回動フレーム１２ａ，１２ａの基端部が軸１２ｃ，１２ｃに上下に回動可能に取り付けられている。
前記回動アーム１２ａ，１２ａは、収納室２を形成する内壁２ａ，２ａと平行にかつ該内壁２ａ，２ａに近接して配置されており、その基端部（図１および図２において右端部）が、内壁２ａ，２ａに固定された軸１２ｃ，１２ｃに上下に回動可能に取り付けられている。
横棒１２ｂ・・・は互いに平行に配置されており、回動アーム１２ａ，１２ａが水平位置にある場合に、床からの高さが約１．８ｍ程度となっている。したがって、この横棒１２ｂ・・・にハンガーによって衣類を掛けた際に、衣類が収納室２の床に接触しないようにようなっている。
【００２３】
また、前記回動アーム１２ａ，１２ａは水平位置においてロックされて、水平状態を保持できるようになっている。つまり、回動アーム１２ａ，１２ａは水平位置でロックされ、それより下方には回動しないようになっている。
また、回動アーム１２ａ，１２ａは水平位置から上方に回動可能となっており、傾斜天井１１と平行になって近接する位置でロック可能となっている。このロックは、例えば回動アーム１２ａ，１２ａをロック位置より若干斜め上方に押すことによって解除されるようになっている。
このように、回動アーム１２ａ，１２ａが水平位置と傾斜天井１１と平行になって近接する位置との間で回動可能となっているので、回動アーム１２ａ，１２ａに架設されている横棒１２ｂ・・・は軸１２ｃ，１２ｃ回りに上下に回動可能となっている。つまり、衣類掛け用のフレーム１２がその一端部を支点として、水平位置と、傾斜天井１１との間で上下に回動可能に設けられている。
【００２４】
前記衣類掛け用のフレーム１２の下方には、ベンチ型の収納家具１３，１３が設けられている。収納家具１３，１３はそれぞれ前記内壁２ａ，２ａに当接するようにして収納室２の床面に設置されており、収納家具１３，１３間には人が通れる程度の幅の通路が設けられている。そして、収納家具１３，１３内には、収納部が通路側に開口して設けられている。
さらに、収納室２には、上下に通風可能な棚１５が前記通風部８に近接して設けられている。
すなわち、収納室２には、棚１５が前記仕切壁４の上端部に近接して配置されている。棚１５は、複数のパイプ１５ａ・・・を互いに平行にして仕切壁４と直交する方向（内壁２ａと平行な方向）に所定の隙間をもって水平に並設するとともに、これらパイプ１５ａ・・・の両端部をそれぞれ内壁２ａ，２ａに固定することによって構成されている。したがって、このような棚１５では隣り合うパイプ１５ａ，１５ａの隙間を通して上下通風可能となっている。
また、棚１５の高さは、前記通風部８より若干低くなっており、かつ、水平位置での衣類掛け用のフレーム１２より高くなっている。
なお、一方の内壁２ａには、収納室２に出入りするためのドア１６が開閉可能に設けられており、棚１５はこのドア１６の上端より高い位置に位置している。
【００２５】
本実施の形態によれば、収納室２に隣接してホール３が、透光性を有する仕切壁４を挟んで配置されており、前記ホール３上に、天窓６が設けられており、仕切壁４の上端部に通風部８が設けられているので、収納室２に、天窓６からホール３、透光性を有する仕切壁４を通して採光でき、また、天窓６からホール３、通風部８を通して通風を確保できる。したがって収納室２に充分な採光と通風を確実に確保できる。
また、通風部８が収納室２の傾斜天井１１の上端部に対向して配置されているので、通風部８から流入してきた風が、傾斜天井１１の上端部から傾斜方向に沿って斜め下方に流れるので、収納室２の隅まで風を行き渡らせることができる。
【００２６】
さらに、収納室２に、衣類掛け用のフレーム１２がその一端部を支点として、水平位置と、傾斜天井１１との間で上下に回動可能に設けられているので、衣類掛け用のフレーム１２を上方に回動して傾斜天井１１に沿わせることによって、傾斜天井１１が低くなる奥側の衣類や物品を容易に取り出すことができる。また、衣類掛け用のフレーム１２を水平に配置することによって、通風部８から流入してきた風が衣類掛け用のフレーム１２に掛けてある衣類を通って、傾斜天井１１に沿って下降するので、衣類の乾燥状態を保持することができる。
また、収納室２に、上下に通風可能な棚１５が前記通風部８に近接して設けられているので、棚１５に載せた物品に風がよく当たり、よって、物品が湿気るのを防止できる。
また、仕切壁４が、壁本体４ａと、この壁本体４ａ内に設けられ、該壁本体４ａの表面側に開口する収納部４ｂとを備えているので、収納室２に壁収納を設けることができる。
さらに、収納部４ｂの奥側の面が、透光性を有しかつ壁本体４ａの裏面側に露出する透光性面材４ｅで構成されているので、この透光性面材４ｅを通して収納室２に採光できる。
【符号の説明】
【００２７】
２  収納室
３  ホール
４  仕切壁
４ａ  壁本体
４ｂ  収納部
４ｅ  透光性面材
６  天窓
８  通風部
１１  傾斜天井
１２  衣類掛け用のフレーム
１５  棚
【図１】
2010222918.tif 000003
【図２】
2010222918.tif 000004
【図３】
2010222918.tif 000005
【図４】
2010222918.tif 000006